(57)【特許請求の範囲】
【請求項１】
鍵管理機本体と、
鍵が吊下げ可能に連結部材で取り付けられた鍵管理部材と、
前記鍵管理機本体に設けられ、前記鍵管理部材が挿脱されるとともに挿入された鍵管理部材を施錠解錠する錠機構と、
前記鍵管理機本体の錠機構の下側に設けられ、この錠機構に挿入された鍵管理部材から吊下げられた鍵が配置される鍵配置部と、
この鍵配置部を開閉し、前記錠機構に施錠された鍵管理部材の鍵を収納する鍵収納状態に閉じることで鍵管理部材に被着して係止され、錠機構の解錠時に鍵管理部材を錠機構から抜き外す動作に連動して鍵管理部材から係止が外れて開放されるカバーと
を具備し、
前記鍵管理部材にカバーを係止する爪部が設けられ、
前記カバーは、前記錠機構に挿入された鍵管理部材から吊下げられた鍵を収納する鍵収納部、この鍵収納部の下部側に設けられカバーを鍵管理機本体に対して開閉可能に支持する支点部、鍵収納部の上部側に設けられ鍵管理部材に被着される被着部、およびこの被着部に設けられ被着部の鍵管理部材への被着によって鍵管理部材の爪部に係止されるとともに鍵管理部材の抜き外し動作に連動して鍵管理部材の爪部から外れるフックを有している
ことを特徴とする鍵管理機。
【請求項２】
鍵管理機本体の鍵配置部の両側に、この鍵配置部内に鍵を案内する鍵ガイドが設けられている
ことを特徴とする請求項１記載の鍵管理機。
【請求項３】
カバーの両側に、このカバーを閉じた状態で両側の鍵ガイドの内側間に配置される係合部が設けられている
ことを特徴とする請求項２記載の鍵管理機。
【請求項４】
カバーを閉じた状態で着脱可能に仮止めする仮止め部が設けられている
ことを特徴とする請求項１ないし３いずれか記載の鍵管理機。
【発明の詳細な説明】
【０００１】
【発明の属する技術分野】
本発明は、鍵を管理する鍵管理機に関する。
【０００２】
【従来の技術】
従来、金融機関や流通機関などにおいては、処理機器の作動用の鍵や管理場所を開閉する鍵など、複数の重要な鍵が使用されており、これら鍵の使用可能者を制限したり、鍵の使用履歴を残すために、鍵管理機を用いて電子制御による鍵の管理をしている。
【０００３】
このような鍵管理機では、例えば、特公平７−１０３７２３号公報に記載されているように、各鍵にワイヤリングなどによってキーホルダ状の固有の鍵管理部材を取り付け、鍵管理機本体に対応する鍵管理部材が挿脱されるとともに挿入された鍵管理部材を施錠解錠する複数の錠機構を設け、これら各錠機構への各鍵管理部材の挿入の有無を検知する検知部を設けている。そして、錠機構に挿入された鍵管理部材を施錠した状態で鍵を管理しておき、鍵を使用する場合には、鍵管理機本体に鍵使用者の特定のカードを通したり鍵使用者がコード番号や暗証番号などを入力するなどして承認されることで鍵管理部材を解錠し、鍵管理部材を抜き外して鍵を使用可能とする。また、鍵を返却する場合には、鍵管理部材を対応する錠機構に挿入することで、検知部で鍵管理部材を検知し、錠機構で鍵管理部材を施錠する。このようにして、使用者を特定するとともに鍵管理部材の挿入の有無を検知することで、鍵の使用可能者を制限したり、鍵の使用履歴を残している。
【０００４】
なお、鍵管理機本体の前面に設けられる複数の錠機構やこれら各錠機構に挿入施錠された各鍵管理部材の鍵などを含めて鍵管理機本体の前面全体を覆うように開閉する扉体を設けているが、この扉体は管理者によって開閉され、扉体の開放状態において上述した鍵使用者による鍵の使用を可能にしている。
【０００５】
【発明が解決しようとする課題】
しかしながら、従来の鍵管理機では、鍵管理機に鍵が管理されていても、鍵管理機本体から扉体が開けられた状態のときには、鍵自体が露出しているため、鍵管理部材に鍵を取り付けているワイヤリングの切断による鍵の持ち出し、粘土などによる鍵の形状の複製、鍵管理機に鍵を施錠した状態での処理機器や保管場所の解錠などの鍵の不正使用に対して十分でない問題がある。
【０００６】
そこで、鍵を配置する場所を鍵毎に仕切って鍵付扉で開閉する鍵管理機も提案されているが、各鍵管理部材の錠機構や検知部とは別に、各鍵付扉の電磁ロックおよび開閉検知が必要で、構造および制御が複雑化し、部品点数が増加して高価になる問題がある。
【０００７】
本発明は、このような点に鑑みなされたもので、簡単な構成で、鍵の不正使用を確実に防止できる鍵管理機を提供することを目的とする。
【０００８】
【課題を解決するための手段】
請求項１記載の鍵管理機は、鍵管理機本体と、鍵が吊下げ可能に連結部材で取り付けられた鍵管理部材と、前記鍵管理機本体に設けられ、前記鍵管理部材が挿脱されるとともに挿入された鍵管理部材を施錠解錠する錠機構と、前記鍵管理機本体の錠機構の下側に設けられ、この錠機構に挿入された鍵管理部材から吊下げられた鍵が配置される鍵配置部と、この鍵配置部を開閉し、前記錠機構に施錠された鍵管理部材の鍵を収納する鍵収納状態に閉じることで鍵管理部材に被着して係止され、錠機構の解錠時に鍵管理部材を錠機構から抜き外す動作に連動して鍵管理部材から係止が外れて開放されるカバーとを具備し、前記鍵管理部材にカバーを係止する爪部が設けられ、前記カバーは、前記錠機構に挿入された鍵管理部材から吊下げられた鍵を収納する鍵収納部、この鍵収納部の下部側に設けられカバーを鍵管理機本体に対して開閉可能に支持する支点部、鍵収納部の上部側に設けられ鍵管理部材に被着される被着部、およびこの被着部に設けられ被着部の鍵管理部材への被着によって鍵管理部材の爪部に係止されるとともに鍵管理部材の抜き外し動作に連動して鍵管理部材の爪部から外れるフックを有しているものである。
【０００９】
そして、この構成では、錠機構に施錠された鍵管理部材の鍵を収納する鍵収納状態にカバーを閉じれば、カバーが鍵管理部材に被着して係止され、また、錠機構の解錠時に鍵管理部材を錠機構から抜き外す動作に連動して、カバーが鍵管理部材から外れて開放される。そのため、鍵管理部材の錠機構への挿脱に対応して開閉するカバーを用いただけの簡単な構成で、鍵の不正使用が確実に防止される。しかも、下部側の支点部を支点としてカバーを閉じることにより、カバーの鍵収納部内に鍵を収納し、カバーの上部側の被着部が鍵管理部材に被着してフックが鍵管理部材の爪部に係止されるため、カバーが鍵収納状態に係止される。また、鍵管理部材の抜き外し動作により、カバーのフックが鍵管理部材の爪部から外れるため、下部側の支点部を支点としてカバーが開放される。
【００１０】
請求項２記載の鍵管理機は、請求項１記載の鍵管理機において、鍵管理機本体の鍵配置部の両側に、この鍵配置部内に鍵を案内する鍵ガイドが設けられているものである。
【００１１】
そして、この構成では、鍵管理機本体の鍵配置部の両側に設けた鍵ガイドによって鍵を鍵配置部内に案内するため、カバーを閉じる際に、鍵がカバーと鍵管理機本体との間に挟まれるようなことがなく、操作性が向上される。
【００１２】
請求項３記載の鍵管理機は、請求項２記載の鍵管理機において、カバーの両側に、このカバーを閉じた状態で両側の鍵ガイドの内側間に配置される係合部が設けられているものである。
【００１３】
そして、この構成では、カバーの両側に設けた係合部が、カバーを閉じたときに両側の鍵ガイドの内側間に配置されるため、鍵管理機本体に対するカバーの両側方向への動きが規制され、カバーの不正な開放が防止される。
【００１４】
請求項４記載の鍵管理機は、請求項１ないし３いずれか記載の鍵管理機において、カバーを閉じた状態で着脱可能に仮止めする仮止め部が設けられているものである。
【００１５】
そして、この構成では、仮止め部によってカバーを閉じた状態で着脱可能に仮止めするため、鍵が使用されているときでも、カバーを閉じた状態に保持可能とする。
【００１６】
【発明の実施の形態】
以下、本発明の一実施の形態を図面を参照して説明する。
【００１７】
図２に示すように、11は鍵管理機本体で、鍵管理機本体11の前面板11aには、複数の鍵12を管理する鍵管理部13が上下２段で水平方向に沿って複数並設されている。
【００１８】
鍵管理機本体11の上部側には、鍵使用者の特定のカードを通して情報を読み取るカードリーダ14、鍵使用者によってコード番号や暗証番号などが入力される操作キー15、および入力される番号などの情報を表示する表示部16などが配設されている。
【００１９】
図１に示すように、鍵12は、取付孔19を有し、この取付孔19に通された連結部材としてのワイヤリング20によって鍵管理部材21に吊下げ可能に連結されている。
【００２０】
図１、図４ないし図７に示すように、鍵管理部材21は、板状に形成され、その先端部22には、図示しないが、特定の錠機構にのみ挿入を可能とする鍵管理部材特定部が設けられているとともに、錠機構によって着脱可能に係止される被係止部が設けられている。鍵管理部材21の基端部23には、断面Ｔ字形の摘み部24が形成され、この摘み部24の一側であって鍵管理部13に挿入された状態で下側となる一側に取付部25が突出形成されている。この取付部25には、ワイヤリング20を通す取付孔26が形成され、取付部25の一側であって鍵管理部13に挿入された状態で下側となる一側に先端部22側を傾斜面27a、基端部23側を鍵管理部13に対する鍵管理部材21の挿脱方向と交差する係止面27bとする略三角形状の係止溝27が形成され、この係止溝27より基端部23側につまり係止面27b側に爪部28が突出形成されている。
【００２１】
各鍵管理部13は、錠機構31を有し、この錠機構31は、その前端部が鍵管理機本体11の前面板11aから露出して取り付けられ、その前端部に開口して鍵管理部材21の先端部22が挿入される挿入口32が形成されている。この挿入口32内には、特定の鍵管理部材21のみ奥側の施錠位置までの挿入を許容するとともに、特定の鍵管理部材21以外の鍵管理部材21の奥側の施錠位置までの挿入を規制する図示しない規制部が設けられている。例えば、鍵管理部材21の鍵管理部材特定部が複数の溝で、錠機構31の規制部は複数のピンで、これら複数の溝と複数のピンとの位置関係によって特定の鍵管理部材21のみを奥側の施錠位置まで許容する。また、錠機構31は、図示しないが、施錠位置まで挿入された特定の鍵管理部材21の被係止部を係脱可能に係止する係止レバー、この係止レバーを被係止部に対して係脱させるソレノイドなどの駆動部、特定の鍵管理部材21の施錠位置への挿入を検知する検知部などを有している。
【００２２】
図１、図３ないし図７に示すように、鍵管理機本体11の前面板11aには、各錠機構31の下側に、錠機構31に挿入された鍵管理部材21から吊下げられた鍵12が配置される鍵配置部33が配設され、この鍵配置部33の両側に鍵ガイド34が取り付けられているとともに、鍵配置部33を開閉するカバー35が取り付けられている。
【００２３】
各鍵ガイド34は、例えば金属製または合成樹脂製で、板状に形成され、鍵配置部33の側部の略全域に上下方向に配置されており、後端側には前面板11aに差し込み固定される複数の取付爪37が突設されている。各鍵ガイド34の上部側には隣り合うカバー35間に配置される厚みが薄い仕切部38が形成され、各鍵ガイド34の下部側には仕切部38に対して前方へ突出するとともに側方へ向けて隣り合うカバー35の領域まで突出する厚みが厚い台形状の突出部39が形成されている。この突出部39の位置はワイヤリング20で吊下げられた鍵12の側部位置に対応している。各鍵ガイド34の仕切部38には、カバー35を閉じた状態で着脱可能に仮止めする仮止め部40として、鍵配置部33の外側に突出する球面状のダボ41が形成されている。
【００２４】
カバー35は、例えば透明あるいは不透明な合成樹脂製で、前面部44、両側の側面部45、上面部46および下面部47を有し、鍵配置部33側に対向される面が開口された縦長の箱状に形成されている。カバー35の内部には、錠機構31に挿入施錠された鍵管理部材21から吊下げられて鍵配置部33に配置されているワイヤリング20および鍵12を収納する鍵収納部48が形成されている。カバー35の下部側には、鍵管理機本体11側に支持されているカバー軸49に対して回動可能に軸支される支点部50が形成され、カバー軸49を支点としてカバー35が鍵配置部33を開閉可能としている。カバー35の上部側には、錠機構31に挿入施錠された鍵管理部材21に被着される被着部51が形成され、この被着部51には鍵管理部材21の取付部25が入り込む溝部52が形成されている。
【００２５】
カバー35の両側の側面部45の上部側にはカバー35を閉じた状態で両側の鍵ガイド34の内側間に配置される係合部53が形成され、下部側には鍵ガイド34の突出部39と略同形状の台形状の切欠部54が形成されている。係合部53には、カバー35を閉じた状態で着脱可能に仮止めする仮止め部40として、ダボ41に係脱可能に係合する係合孔55が形成されている。
【００２６】
被着部51には、被着部51の鍵管理部材21への被着によって鍵管理部材21の爪部28に係止されるとともに鍵管理部材21の抜き外し動作に連動して鍵管理部材21の爪部28から外れるフック56が配設されている。このフック56は、フック軸57を支点として回動可能に支持され、一端に爪部28に係脱可能とするフック部58が形成され、他端には前面部44の裏面に当接して爪部28へ係合する方向への回動位置を規制するストッパ59が突出形成されている。フック部58は、係止溝に係合可能とする略三角形状で、先端側に傾斜面58aが、基端側に爪部28に係合可能とする係止面58bが形成されている。フック軸57にはフック部58が爪部28に係合する方向に付勢する付勢手段としてのばね60が取り付けられている。
【００２７】
次に、本実施の形態の作用を説明する。
【００２８】
鍵管理機に管理されている鍵12を使用する場合、鍵管理機本体11のカードリーダ14に鍵使用者の特定のカードを通したり、鍵使用者がコード番号や暗証番号などを操作キー15で入力するなどして、鍵使用者が特定されて承認されることで、対応する錠機構31が鍵管理部材21を解錠し、鍵管理部材21を錠機構31から抜き外し、鍵12を使用可能とする。
【００２９】
また、鍵12を返却する場合には、鍵管理部材21の先端部22を対応する錠機構31に挿入することで、錠機構31の検知部で鍵管理部材21を検知し、錠機構31で鍵管理部材21を施錠する。このとき、鍵管理部材21は、対応する錠機構31にのみ挿入可能で、対応しない錠機構31には奥側まで挿入されず施錠もされない。
【００３０】
そして、鍵12の返却時に対応してカバー35を閉じる場合を説明する。
【００３１】
鍵12の返却時には、図１に示すように、カバー35が開かれ、鍵配置部33の前方域が開放される。この状態で、鍵管理部材21の先端22を錠機構31の挿入口32に挿入し、所定の挿入位置で施錠される。
【００３２】
鍵管理部材21の挿入施錠に伴なって、鍵管理部材21から吊下げられた状態にある鍵12が鍵配置部33に自動的に配置される。このとき、鍵配置部33の両側に鍵ガイド34が突設されているので、これら鍵ガイド34によって鍵12を鍵配置部33内に入り込むように案内できる。特に、鍵ガイド34には鍵管理部材21から吊下げられた鍵12の位置に対応して突出部39が突出されているため、鍵12を鍵配置部33内に入り込むようにより確実に案内できる。
【００３３】
図４に示すように、カバー35を閉じる方向へ回動させ、カバー35の被着部51を鍵管理部材21に被着していく。その被着していく過程で、カバー35の被着部51に配設されているフック56のフック部58の傾斜面58aが鍵管理部材21の爪部28に接触し、フック56のフック部58がばね60の付勢に抗して爪部28から下方へ逃げ、図５に示すように、フック56のフック部58が爪部28を乗り越えることにより、フック56のフック部58が爪部28に係合し、鍵管理部材21に対してカバー35が係止される。鍵管理部材21は錠機構31に施錠されているので、この鍵管理部材21に対して係止されたカバー35は、閉じた状態で係止される。
【００３４】
カバー35を閉じた状態では、カバー35の鍵収納部48内にワイヤリング20および鍵12が収納され、カバー35の外部に対して遮蔽され、鍵12の不正使用を確実に防止できる。さらに、カバー35の両側に設けた係合部53が両側の鍵ガイド34の内側間に配置されるため、鍵管理機本体11に対するカバー35の両側方向への動きが規制され、カバー35の不正な開放が防止される。
【００３５】
また、鍵12の抜き外し時に対応してカバー35を開く場合を説明する。
【００３６】
解錠操作後において、図６に示すように、解錠された鍵管理部材21を錠機構31から前方へ抜き外していくことにより、カバー35の被着部51が一体的に前方へ押動され、カバー35がカバー軸49を支点として前方へ回動して徐々に開いていく。図７に示すように、鍵管理部材21が所定量抜き外された時点で、カバー35のフック56が鍵管理部材21の爪部28から外れ、カバー35が自重で前方へ回動開放される。これにより、鍵配置部33の前方が開放され、鍵管理部材21とともに鍵配置部33に配置されていた鍵12が取り出される。
【００３７】
鍵管理部材21を錠機構31から抜き外した後は、カバー35を閉じることにより、カバー35の両側の係合孔55と両側の鍵ガイド34のダボ41とが係合し、カバー35を閉じた状態で仮止めされる。
【００３８】
このように、錠機構31に施錠された鍵管理部材21の鍵12を収納する鍵収納状態にカバー35を閉じれば、カバー35が鍵管理部材21に被着して係止され、また、錠機構31の解錠時に鍵管理部材21を錠機構31から抜き外す動作に連動して、カバー35が鍵管理部材21から外れて開放されるので、鍵管理部材21の錠機構31への挿脱に対応して開閉できるカバー35を用いただけの簡単な構成で、鍵12の不正使用を確実に防止できる。
【００３９】
また、鍵管理部材21を錠機構31に挿入することにより、鍵管理部材21から吊下げられた鍵12が錠機構31の下側の鍵配置部33に配置され、この鍵配置部33に配置された鍵12をカバー35によって開閉できるため、操作性を容易にできる。
【００４０】
さらに、下部側の支点部50を支点としてカバー35を閉じることにより、カバー35の鍵収納部48内に鍵12を収納し、カバー35の上部側の被着部51が鍵管理部材21に被着してフック56が鍵管理部材21の爪部28に係止されるため、カバー35を鍵収納状態に係止でき、また、鍵管理部材21の抜き外し動作により、カバー35のフック56が鍵管理部材21の爪部28から外れるため、下部側の支点部50を支点としてカバー35を開放できる。
【００４１】
また、鍵管理機本体11の鍵配置部33の両側に設けた鍵ガイド34によって鍵12を鍵配置部33内に案内するため、カバー35を閉じる際に、鍵12がカバー35と鍵管理機本体11との間に挟まれるようなことがなく、操作性を向上できる。
【００４２】
また、カバー35の両側に設けた係合部53が、カバー35を閉じたときに両側の鍵ガイド34の内側間に配置されるため、鍵管理機本体11に対するカバー35の両側方向への動きを規制でき、カバー35の不正な開放を防止できる。
【００４３】
また、仮止め部40によってカバー35を閉じた状態で着脱可能に仮止めするため、鍵12が使用されているときでも、カバー35を閉じた状態に保持できる。
【００４４】
なお、前記実施の形態では、鍵管理部材21が鍵12に対してワイヤリング20で連結されるキーホルダ形式であったが、これに限られるものではなく、例えば、鍵管理部材と鍵とが一体構造の場合でも、鍵管理部材に被着して係止されるカバーで鍵管理部材と一体の鍵を覆うことにより、同様の作用効果が得られる。
【００４５】
【発明の効果】
請求項１記載の鍵管理機によれば、錠機構に施錠された鍵管理部材の鍵を収納する鍵収納状態にカバーを閉じれば、カバーが鍵管理部材に被着して係止され、また、錠機構の解錠時に鍵管理部材を錠機構から抜き外す動作に連動して、カバーが鍵管理部材から外れて開放されるので、鍵管理部材の錠機構への挿脱に対応して開閉できるカバーを用いただけの簡単な構成で、鍵の不正使用を確実に防止できる。しかも、下部側の支点部を支点としてカバーを閉じることにより、カバーの鍵収納部内に鍵を収納し、カバーの上部側の被着部が鍵管理部材に被着してフックが鍵管理部材の爪部に係止されるため、カバーを鍵収納状態に係止でき、また、鍵管理部材の抜き外し動作により、カバーのフックが鍵管理部材の爪部から外れるため、下部側の支点部を支点としてカバーを開放できる。
【００４６】
請求項２記載の鍵管理機によれば、請求項１記載の鍵管理機の効果に加えて、鍵管理機本体の鍵配置部の両側に設けた鍵ガイドによって鍵を鍵配置部内に案内するため、カバーを閉じる際に、鍵がカバーと鍵管理機本体との間に挟まれるようなことがなく、操作性を向上できる。
【００４７】
請求項３記載の鍵管理機によれば、請求項２記載の鍵管理機の効果に加えて、カバーの両側に設けた係合部が、カバーを閉じたときに両側の鍵ガイドの内側間に配置されるため、鍵管理機本体に対するカバーの両側方向への動きを規制でき、カバーの不正な開放を防止できる。
【００４８】
請求項４記載の鍵管理機によれば、請求項１ないし３いずれか記載の鍵管理機の効果に加えて、仮止め部によってカバーを閉じた状態で着脱可能に仮止めするため、鍵が使用されているときでも、カバーを閉じた状態に保持できる。
【図面の簡単な説明】
【図１】  本発明の一実施の形態を示す鍵管理機の一部の斜視図である。
【図２】  同上鍵管理機の全体の斜視図である。
【図３】  同上鍵管理機のカバーを閉じた上面視の断面図である。
【図４】  同上鍵管理機のカバーを閉じる過程の断面図である。
【図５】  同上鍵管理機のカバーを閉じた断面図である。
【図６】  同上鍵管理機のカバーを開ける過程の断面図である。
【図７】  同上鍵管理機のカバーを開けた断面図である。
【符号の説明】
11    鍵管理機本体
12    鍵
20    連結部材としてのワイヤリング
21    鍵管理部材
28    爪部
31    錠機構
33    鍵配置部
34    鍵ガイド
35    カバー
40    仮止め部
48    鍵収納部
50    支点部
51    被着部
53    係合部
56    フック
【図１】
0003889616.tif 000002
【図２】
0003889616.tif 000003
【図３】
0003889616.tif 000004
【図４】
0003889616.tif 000005
【図５】
0003889616.tif 000006
【図６】
0003889616.tif 000007
【図７】
0003889616.tif 000008